(57)【要約】【課題】  電動リールと電源コードとの接続部位に振動力が作用することを抑制しながら、魚の横走りに迅速に対応できる電源コードの保持具を備えた釣竿の竿尻端構造を提供する。【解決手段】    元竿１の竿尻端部に握り部２を形成するとともに、握り部２に電動リール用の電源コード４が載置されるコード用溝２Ａを元竿１の軸線に沿って形成する。コード用溝２Ａに載置された電源コード４を、載置する状態とコード用溝２Ａより脱出することを許容する状態とに切り換え可能な板状押さえ部１０Ａを備える着脱部を形成してある。【選択図】        図１
2019208415.tif 000002
【特許請求の範囲】
【請求項１】
元竿の竿尻端部に握り部を形成するとともに、前記握り部に電動リール用の電源コードが載置されるコード用溝を前記元竿の軸線に沿って形成し、前記コード用溝に載置された前記電源コードを、載置する状態と前記コード用溝より脱出することを許容する状態とに切り換え可能な保持具を備える着脱部を形成してある釣竿の竿尻端部構造。
【請求項２】
前記保持具の本体部分の一端を前記握り部に取付け、前記保持具の本体部分の他端を、前記握り部に固定する状態と前記握り部から離間する状態とに切り換える着脱部を形成してある請求項１記載の釣竿の竿尻端部構造。
【請求項３】
前記保持具の本体部分が伸縮可能に構成してある請求項１又は２記載の釣竿の竿尻端部構造。
【請求項４】
前記着脱部が面ファスナー、又は、係止ピンと環状係止具とでなる請求項１〜３の内のいずれか一つに記載の釣竿の竿尻端部構造。
【発明の詳細な説明】
【技術分野】
【０００１】
本発明は、別置きタイプの外部電源と電動リールとを繋ぐ給電用の電源コードを仕舞う構造を備えた釣竿の竿尻端部構造に関する。
【背景技術】
【０００２】
前記電源コードを竿尻端部において仕舞処理するに、次のように、電動リールの給電部に連結された電源コードを覆うに、その電源コードとともに給電部をも覆う樹脂カバーを取り外し自在に構成したものがあった。（引用文献１）。
【先行技術文献】
【特許文献】
【０００３】
【特許文献１】特開２０００−２４５３１６号公報（図２）
【発明の概要】
【発明が解決しようとする課題】
【０００４】
しかし、このものでは、樹脂カバー部が両者を覆うものであるが、その設置位置が電動リールに接近する位置に限られ、電源コードが電動リールを離れた直後から釣竿の下方に向けて垂れ下がり状態となり、電源コードが釣り船の揺れ等を受けて揺れ動き、そのことで、電動リールと電源コードとの接続部位に振動力が作用して、その接続部位でトラブルが発生する恐れがあった。
【０００５】
一方、接続部位での安定感を確保する為に、電源コードを釣り操作中であれば元竿より離間できないように、固定保持する保持具を用いたものがあった。
メーカー：ゼロ・ドラゴン社
製品名  ：電動鯛ラバ＆高速ただ巻きジギング専用ロッド EJ641
ホームページ（ＵＲＬ：http://zerodragon.jp/rod/rj/）4/7ページ参照
【０００６】
このように構成されたコードキーパーと称される保持具においては、確かに固定状態は安定するが、例えば、掛かった魚が横走りを始めて、それに追従して、釣り人が釣り竿を持った状態で船縁に沿って横移動する場合に、コードキーパーに保持されたコード部分が元竿から離れないので、釣り人の動きにブレーキが掛かり、魚の動きに迅速に対応できない事態も招いていた。
【０００７】
本発明の目的は、電動リールと電源コードとの接続部位に振動力が作用することを抑制しながら、魚の横走りに迅速に対応できる電源コードの保持具を備えた釣竿の竿尻端構造を提供する点にある。
【課題を解決するための手段】
【０００８】
〔構成〕
請求項１に係る発明の特徴構成は、元竿の竿尻端部に握り部を形成するとともに、前記握り部に電動リール用の電源コードが載置されるコード用溝を前記元竿の軸線に沿って形成し、前記コード用溝に載置された前記電源コードを、載置する状態と前記コード用溝より脱出することを許容する状態とに切り換え可能な保持具を備えてある点にあり、その作用効果は次の通りである。
【０００９】
〔作用〕
つまり、保持具によって電源コードをコード用溝に載置する状態に維持できるので、移動しない状態での釣り時においては、電源コードを振れ少なく安定して保持できるので、電動リールと電源コードとの接続部位に係る振動等を抑制できる。そして、魚が横走りして船縁に沿って横移動する際には、電源コードをコード用溝より離間させることができ、釣り人が自由に移動することを許容できる。
【００１０】
〔効果〕
したがって、移動しない状態での釣り時と移動しなければならない釣り時のいずれに状態においても電源コードの仕舞処理を行えた釣竿の竿尻端部構造を提供できるに至った。
【００１１】
〔構成〕
請求項２に係る発明の特徴構成は、前記保持具の本体部分の一端を前記握り部に取付け、前記保持具の本体部分の他端を、前記握り部に固定する状態と前記握り部から離間する状態とに切り換える着脱部を形成してある点にあり、その作用効果は次の通りである。
【００１２】
〔作用効果〕
このような構造によって、前記他端を持ち上げて離間する状態に切り換えることができ、その他端を押し付けることによって固定状態に人為的に切り替えることができ、魚の横移動等にも慌てずに対応できる釣竿の竿尻端部構造を提供できるに至った。
【００１３】
〔構成〕
請求項３に係る発明の特徴構成は、前記保持具の本体部分が伸縮可能に構成してある点にあり、その作用効果は次の通りである。
【００１４】
〔作用効果〕
保持具の本体部分が電源コードの外径が変化しても、その変化に対応できる良さがある。
【００１５】
〔構成〕
請求項４に係る発明の特徴構成は、前記着脱部が面ファスナー、又は、係止ピンと環状係止具とでなる点にあり、その作用効果は次の通りである。
【００１６】
〔作用効果〕
面ファスナーや、係止ピンと係合環体との係合構造に採用によって、載置状態と離間状態とに迅速に切り替えることができる釣竿の竿尻端部構造を提供できるに至った。
【図面の簡単な説明】
【００１７】
【図１】図１は、電動リートと外部電源とを接続する電源コードを元竿の握り部に装着した状態を示す説明図である。
【図２】図２（ａ）は、保持具で電源コードを元竿の握り部に装着した状態を示す斜視図、（ｂ）は、保持具で電源コードを元竿の握り部に装着した状態を示す縦断正面図である。
【図３】図３保持具の別実施構造を示し、（ａ）は、保持具で電源コードを元竿の握り部に装着した状態を示す斜視図、（ｂ）は、保持具で電源コードを元竿の握り部に装着した状態を示す縦断正面図である。
【発明を実施するための形態】
【００１８】
本願発明は、電動リールへ電力を供給する電源コードを、握り部に保持する状態と離間させて開放する状態とに任意に切り換え操作することによって、快適な釣り操作を行うことができる釣竿を提供する点にある。
【００１９】
〔第１実施形態〕
船釣り等で使用される釣竿の竿尻端部構造について説明する。
図１に示すように、釣竿の竿尻端部においては、元竿１にリールシート１Ａとその手元側に握り部２を配置し、前記リールシート１Ａに電動リール３が取付けてある。
【００２０】
元竿１は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。この略台形状に裁断した複数のプリプレグシートをマンドレルに巻回し、その複数のプリプレグシートをマンドレルに巻回した状態で炉に入れて焼成し、焼成後マンドレルを脱芯して円筒状の竿素材を取り出しその竿素材を所定長に裁断して、仕上加工を施し元竿１を構成する。
【００２１】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００２２】
次に、握り部２は元竿１の外周面を被覆するＥＶＡを材料としたもので、手に馴染み易い柔軟性を有している。握り部２には、図１に示すように、リールシート１Ａの後方側から竿尻端に向けてかつ元竿１の軸線に沿って、凹入するコード用溝２Ａが形成してあり、電動リール３に給電する電源コード４を載置すべく構成してある。
【００２３】
電源コード４は、二本の芯線を含んだキャプタイヤケーブルであり、外部電源５に接続されて、入力部３ａに接続されて電動リール３に電力を供給している。
【００２４】
電動リール３には、ギヤ機構（図示せず）等を内装した両側枠ケース６，６に亘って制御装置（図示せず）及び液晶ディスプレイ７を備えた表示ケース８が架設されており、表示ケース８に釣り制御用操作具９が複数個配置されている。
【００２５】
コード用溝２Ａに載置された電源コード４を、載置する状態とコード用溝２Ａより脱出することを許容する状態とに切り換え可能な保持具１０を備えている。つまり、図２（ａ）（ｂ）に示すように、保持具１０は、シリコンラバー製の細い幅の板状押さえ部１０Ａでなり、その板状押さえ部１０Ａの一端を握り部２の内部に差し込み固定し、その一端から延出してコード用溝２Ａを越えて他端に着脱部としての面ファスナー１０Ｂを設けている。
【００２６】
釣り操作中に、魚の横走りにより船縁に沿って横移動する必要が出た場合には、面ファスナー１０Ｂを引き外し、電源コード４を開放状態に切り替えて、移動を円滑にできるようにする。
【００２７】
〔別実施形態〕
（１）  保持具１０の着脱部１０Ｂとしては、図３（ａ）（ｂ）に示すように、シリコンラバー製の細い幅の板状押さえ部１０Ａに代えて、大径のゴム紐状のものをループに形成した環状係止具１０Ｃと、その環状係止具１０Ｃの一端を握り部２に差し込み固定し、環状係止具１０Ｃの他端近くに係合ピン１０ａを設けて構成してもよい。
【００２８】
（２）  握り部２としては、コルク製であってもよい。
【産業上の利用可能性】
【００２９】
本願発明は、電動リールに電力を供給する電源コードの仕舞処理を旨く行うことによって、実釣時においても有用な釣竿の竿尻端部構造を提供するものである。
【符号の説明】
【００３０】
１            元竿
１Ａ          リールシート
２            握り部
２Ａ          コード用溝
３            電動リール
３ａ          入力部
４            電源コード
５            外部電源
６            側枠ケース
７            液晶ディスプレイ
８            表示ケース
９            制御用操作具
１０          保持具
１０Ａ        板状押さえ部
１０Ｂ        面ファスナー（着脱部）
１０Ｃ        環状係止具
１０ａ        係合ピン
【図１】
2019208415.tif 000003
【図２】
2019208415.tif 000004
【図３】
2019208415.tif 000005